(57)【要約】【課題】ソーラーパネルによる発電効率を低下させることなく、かつ、モジュール構成を変えずに、高さの異なる文字板を配置することが可能な文字板ユニット及び時計を提供する。【解決手段】一側が受光面であるソーラーパネル５と、ソーラーパネル５の受光面側に重畳配置される文字板３と、ソーラーパネル５の他側に配置されるモジュール４とソーラーパネル５との間に配置され、文字板３とモジュール４との間隔を調整するスペーサ６と、文字板３をモジュール４に対して位置決めする位置決めピン４４と、ソーラーパネル５をスペーサ６に対して位置決めする位置決め凸部６１とを備えている。【選択図】図２
2020139960.tif 000002
【特許請求の範囲】
【請求項１】
一側が受光面であるソーラーパネルと、
前記ソーラーパネルの前記受光面側に重畳配置される文字板と、
前記ソーラーパネルの他側に配置される基材と前記ソーラーパネルとの間に配置され、前記文字板と前記基材との間隔を調整するスペーサと、
前記文字板を前記基材に対して位置決めする文字板位置決め部材と、
前記ソーラーパネルを前記スペーサに対して位置決めするパネル位置決め部材と、
を備えていることを特徴とする文字板ユニット。
【請求項２】
前記文字板位置決め部材は、前記文字板とともに前記スペーサをも位置決めするものであることを特徴とする請求項１に記載の文字板ユニット。
【請求項３】
前記ソーラーパネルを前記基材側に押圧するパネル押さえ部材を備えていることを特徴とする請求項１又は請求項２に記載の文字板ユニット。
【請求項４】
前記パネル押さえ部材は、前記文字板位置決め部材を貫通孔に挿通させて、前記ソーラーパネルと厚み方向の高さが略同一になるように配置されることを特徴とする請求項３に記載の文字板ユニット。
【請求項５】
請求項１から請求項４のいずれか一項に記載の文字板ユニットと、
前記基材であるモジュールと、
前記文字板ユニット及び前記モジュールを収容するケースと、
を備えることを特徴とする時計。
【発明の詳細な説明】
【技術分野】
【０００１】
本発明は、文字板ユニット及び時計に関するものである。
【背景技術】
【０００２】
従来、時計のモジュール等を動作させる動力源としてソーラー発電を行うためのソーラーパネル及び蓄電池を備える電子機器が知られている。
例えば、特許文献１には、時計ケース内に文字板と太陽電池とこの太陽電池からの電力により指針を動作させる駆動部（モジュール）とを備える時計が開示されている。
ソーラーパネルによる発電を効率よく行うためには、光の入りやすい透明部材の近傍や文字板の直下等にソーラーパネルを配置することが好ましい。
この点、特許文献１には、透明なケースの中にソーラーパネルを配置して、側面等から入射する光も発電に利用することが提案されている。
【先行技術文献】
【特許文献】
【０００３】
【特許文献１】特開平１０−２３９４６２号公報
【発明の概要】
【発明が解決しようとする課題】
【０００４】
しかしながら、特許文献１に提案されているようなケースを用いることは、ケースの種類や外観を大きく制約することになり、時計等の電子機器に広く適用することは難しい。
そこで、広く時計等の電子機器に適用可能な構成としては、できるだけソーラーパネルを文字板の直下に配置して視認側から入射する光を効率よく取り込むことが考えられる。
【０００５】
ところで、表示部のデザインにバリエーションを持たせて意匠性の高い表示部を実現しようとした場合に、文字板の高さの異なる立体的なデザインを採用したいという要望がある。
しかし、単に文字板を複数重ねることで文字板の高さを調整したのでは、文字板の光透過率が落ちて、ソーラーパネルの発電効率が低下してしまうとの問題がある。
また、文字板の下にソーラーパネルが配置されている場合、文字板によってはソーラーパネルが視認側に透けて見える場合があるが、文字板の高さを調整するために文字板を複数枚重ねると、文字板が１枚の場合と複数枚重なり合っている場合とでソーラーパネルの見え方が変わり、美しい外観仕上がりとならず、意匠的にも好ましくない。
【０００６】
他方で、文字板の高さを変えるために文字板及びソーラーパネルが載置される基材であるモジュールの形状を変更することも考えられる。
しかし、文字板の高さを変える毎にモジュール構成を変えて対応したのでは量産性に欠け、装置全体がコスト高になるとの問題もある。
【０００７】
本発明は以上のような事情に鑑みてなされたものであり、ソーラーパネルによる発電効率を低下させることなく、かつ、モジュール構成を変えずに、高さの異なる文字板を配置することが可能な文字板ユニット及び時計を提供することを目的とするものである。
【課題を解決するための手段】
【０００８】
前記課題を解決するために、本発明に係る文字板ユニットは、
一側が受光面であるソーラーパネルと、
前記ソーラーパネルの前記受光面側に重畳配置される文字板と、
前記ソーラーパネルの他側に配置される基材と前記ソーラーパネルとの間に配置され、前記文字板と前記基材との間隔を調整するスペーサと、
前記文字板を前記基材に対して位置決めする文字板位置決め部材と、
前記ソーラーパネルを前記スペーサに対して位置決めするパネル位置決め部材と、
を備えていることを特徴としている。
【発明の効果】
【０００９】
本発明によれば、ソーラーパネルによる発電効率を低下させることなく、かつ、モジュール構成を変えずに、高さの異なる文字板を配置して意匠性の高いデザインを実現することができるという効果を奏する。
【図面の簡単な説明】
【００１０】
【図１】本実施形態における文字板ユニットを備える時計の正面図である。
【図２】（ａ）は、文字板の高さが高い場合の文字板ユニットとモジュールユニットの平面図であり、（ｂ）は、（ａ）におけるA-A線に沿う要部断面図である。
【図３】（ａ）〜（ｆ）は、図２（ａ）におけるa-aからf-fの各線に沿う要部断面図である。
【図４】（ａ）は、文字板の高さが低い場合の文字板ユニットとモジュールユニットの平面図であり、（ｂ）は、（ａ）におけるB-B線に沿う要部断面図である。
【図５】（ａ）〜（ｅ）は、図４（ａ）におけるg-gからk-kの各線に沿う要部断面図である。
【図６】従来の文字板ユニット及びモジュールユニットの要部断面図である。
【発明を実施するための形態】
【００１１】
図１から図６を参照しつつ、本発明に係る文字板ユニット及び文字板ユニットを適用した時計の一実施形態について具体的に説明する。
なお、以下に述べる実施形態には、本発明を実施するために技術的に好ましい種々の限定が付されているが、本発明の範囲を以下の実施形態及び図示例に限定するものではない。
【００１２】
図１は、本実施形態に係る文字板ユニットを備えた時計を示す正面図である。
時計１００は、厚み方向の上下に開口した中空の短柱形状に形成されたケース（以下「時計ケース１」という。）を備えている。
この時計ケース１の図１における上下両端部、つまり時計の１２時方向側の端部及び６時方向側の端部には、図示しない時計バンドが取り付けられるバンド取付け部１１が設けられている。
また、時計１００は、時計ケース１の側部等に操作ボタン１２を備えている。
操作ボタン１２は、その挿入側の端部が時計ケース１内部に収容されているモジュール４（後述）と接続されており、操作ボタン１２を押し込み又は回転させることによって各種操作が可能となるように構成されている。
【００１３】
この時計ケース１の視認側（表面側）の開口は、透明なガラス等で形成された風防部材１３によって閉塞されている。
また、時計ケース１の視認側とは反対側（裏面側）の開口は、図示しない裏蓋部材によって閉塞されている。
【００１４】
時計ケース１の内部には、モジュールユニット１０（図２（ａ）及び図２（ｂ）等参照）等が収容されている。
モジュールユニット１０は、表示部２の文字板３等を含んで構成される文字板ユニット３０（図３（ｂ）参照）及びモジュール４（図２（ｂ）等参照）を含んでいる。
【００１５】
図１に示すように、表示部２は、時計ケース１の内部であって風防部材１３の下側に配置されている。
本実施形態の表示部２は、後述する文字板ユニット３０（図３（ｂ）参照）を構成する文字板３及びこの文字板３の上方に配置された指針２３（例えば、文字板３の中央部に配置される時針、分針、秒針等の指針２３ａや、各種機能針２３ｂ，２３ｃ，２３ｄ）を備えるアナログ方式の表示部である。
文字板３には、指針２３を設ける位置に応じて軸孔３５（図２（ａ）参照）が形成されており、指針軸２２（２２ａから２２ｄ）が、この軸孔３５を通して文字板３の裏面側から表面側に突出している。
指針軸２２（２２ａから２２ｄ）の突出側の端部には、それぞれ指針２３（２３ａから２３ｄ）が取り付けられている。指針軸２２の基端側はモジュール４内に設けられた歯車４２等を介して図示しないモータ等と接続されており、モジュール４は、指針軸２２を回転動作させることにより、指針軸２２に取り付けられた指針２３を文字板３の上方で運針させるようになっている。
なお、図１では、時計１００が、指針２３等を有するアナログ方式の表示部２を備えている場合を例示しているが、時計１００に設けられる表示部２は、アナログ方式のものに限定されない。例えば液晶パネル等で構成されるデジタル方式の表示部であってもよいし、アナログ方式、デジタル方式の両方を備える表示部であってもよい。
【００１６】
モジュール４（図２（ｂ）等参照）は、例えば樹脂等で形成されたハウジング内に歯車４２や図示しないモータ等を備える運針機構、各種電子部品等を実装した回路基板４１等を備えている。また、図示は省略するが、モジュール４には、時計１００の各機能部に電力を供給するためのバッテリー等が組み込まれている。
本実施形態の文字板ユニット３０は、後述するように、基材であるモジュール４上に配置されるものであり、文字板３と、ソーラーパネル５と、スペーサ６と、文字板位置決め部材（本実施形態では、後述する位置決めピン４４（図３（ｂ）参照））と、パネル位置決め部材（本実施形態では、後述する位置決め凸部６１（図３（ｆ）参照））とを備えている。
【００１７】
図１及び図２（ａ）に示すように例えば時刻表示とは別の各種機能表示（例えばワールドタイム表示や、タイマー表示等）を行うための文字板３（３ａ）を備える場合、時計の視認側部分を立体的に見せて意匠性を高める等のために文字板３の高さを変えて段差を設ける場合がある。
このような場合、従来は、図６に示すように、文字板３の高さを高くしたい部分には、視認側（表面側）に現れる文字板３（３ａ）の下にもう１つ文字板３（３ｂ）を重ねることによって対応していた。
しかし、通常、文字板３の下面にはソーラー発電を行うためのソーラーパネル５が配置されるところ、このように文字板３を複数枚重ねた場合には、重なっている部分の光透過率が低下し、ソーラーパネル５における発電効率が低下してしまう。また、文字板の下からソーラーパネルが透けて見えた場合にも、文字板３が複数重なっている部分と重なっていない部分とでその見え方に差異が生じ、時計の外観としても美しい仕上がりとならない。
この点、本実施形態の文字板ユニット３０は、スペーサ６の厚みを変えたり、必要に応じてスペーサ６を取り除くことにより、文字板３とモジュール４との間の間隔を調整する。このため、文字板を複数枚重ねる必要がなく、ソーラーパネル５の発電効率等に影響を与えない。また、モジュール４自体の構成を変えることなく各種の高さの文字板３に対応できるようになっている。
以下、本実施形態の文字板ユニット３０について、図面に沿って詳細に説明する。
【００１８】
図２（ａ）は、文字板の高さが高い場合の文字板ユニット３０を含むモジュールユニット１０の平面図であり、図２（ｂ）は、図２（ａ）のA-A線に沿う要部断面図である。また、図３（ａ）から図３（ｆ）は、図２（ａ）におけるa-a〜f-fの各線に沿う要部断面図である。
図４（ａ）は、文字板の高さが低い場合の文字板ユニット３０を含むモジュールユニット１０の平面図であり、図４（ｂ）は、図４（ａ）のB-B線に沿う要部断面図である。また、図５（ａ）から図５（ｅ）は、図４（ａ）におけるg-g〜k-kの各線に沿う要部断面図である。
なお、図２（ｂ）及び図４（ｂ）では、図１に対応して、指針２３ａ，２３ｂを二点鎖線で示している。
【００１９】
文字板ユニット３０は、図２（ｂ）に示すように、一側が受光面であるソーラーパネル５及びソーラーパネル５の受光面側に重畳配置される文字板３を備えている。
ソーラーパネル５の他側には基材としてのモジュール４が配置されている。
本実施形態では、受光面側が時計１００の視認側（表側、図２（ｂ）において上側）となり、非受光面側が時計１００の非視認側（裏側、図２（ｂ）において下側）となるようにモジュール４の上にソーラーパネル５を配置し、文字板３はソーラーパネル５の視認側に重畳配置されている。
モジュールユニット１０は、ソーラーパネル５を視認側から押さえるパネル押さえ部材７を備えている。パネル押さえ部材７はモジュール４及びこの上に配置されているソーラーパネル５の外周に沿って配置されるリング状の部材である。
【００２０】
ここで、まず、文字板３の高さが高い場合について説明する。
文字板３の高さが高い場合には、図２（ｂ）及び図３（ａ）に示すように、モジュール４とソーラーパネル５との間に、文字板３とモジュール４との間隔を調整するスペーサ６が配置される。
スペーサ６を形成する材料は特に限定されないが、例えば、ポリカーボネート等が用いられる。
スペーサ６の厚みは、必要とされる文字板３の高さや指針２３の角度、時計ケース１の厚み等に応じて適宜調整、設定される。
【００２１】
図３（ｂ）は、図２（ａ）におけるb-b線に沿う断面図である。
図２（ａ）及び図３（ｂ）に示すように、文字板３には、その周方向に沿って、複数個所に位置ずれ防止部３１が設けられている。本実施形態において位置ずれ防止部３１は、文字板３の周縁部から外側に向かって延出する舌片である。位置ずれ防止部３１を設ける位置は特に限定されないが、本実施形態では、時計における１２時位置、６時位置、９時位置、１時位置及び５時位置に配置される部分等、複数個所に位置ずれ防止部３１が設けられている。
このうち、１時位置及び５時位置に配置される位置ずれ防止部３１には、それぞれ文字板３の厚み方向に貫通する貫通孔３２が形成されている。
図３（ｂ）に示すように、パネル押さえ部材７、スペーサ６及びモジュール４には、文字板３がモジュール４の上に配置された際に貫通孔３２に対応する位置に、それぞれ貫通孔７４，６２，４３が形成されている。
本実施形態では、貫通孔３２から貫通孔７４，６２，４３まで位置決めピン４４を挿通させることによって文字板３を基材であるモジュール４に位置決めすることができるようになっており、位置決めピン４４が、文字板３を基材であるモジュール４に対して位置決めする文字板位置決め部材として機能する。
なお、位置ずれ防止部３１や貫通孔３２を設ける位置、形状等は、特に限定されず、図示例に限定されない。
【００２２】
また、本実施形態におけるモジュール４の上面には、時計における１２時位置、６時位置、９時位置に設けられている位置ずれ防止部３１に対応する位置に、位置ずれ防止部３１を両側から挟むように位置ずれ防止凸部４０が立設されている。なお、位置ずれ防止凸部４０を設ける位置はこれに限定されず、全ての位置ずれ防止部３１に対応する位置にそれぞれ位置ずれ防止凸部４０を設けてもよい。
なお、スペーサ６を配置して文字板３の高さを高くしている場合には、図３（ｅ）に示すように、位置ずれ防止凸部４０は、文字板３よりも低い位置に配置されるため、文字板３の位置ずれ防止部３１に当接しない。
また、パネル押さえ部材７には、位置ずれ防止部３１及び位置ずれ防止凸部４０に対応する位置に、切欠き部７１が形成されている。これにより、パネル押さえ部材７が位置ずれ防止部３１及び位置ずれ防止凸部４０の上に重畳配置されることがなく、モジュールユニット１０全体の厚みが厚くならないようになっている。
また、図３（ｂ）に示すように、パネル押さえ部材７は、位置決めピン４４を貫通孔７４に挿通させて配置され、ソーラーパネル５と厚み方向の高さが略同一になっており、モジュールユニット１０全体の厚みが厚くならないようになっている。
【００２３】
図３（ｃ）は、図２（ａ）におけるc-c線に沿う断面図である。
図２（ｂ）及び図３（ｃ）に示すように、モジュール４の裏面側（時計の非視認側）には図示しない電子部品等が実装された回路基板４１が配置されており、ソーラーパネル５は、コイルバネ状のコネクタ４６を介して回路基板４１と電気的に接続されている。
すなわち、モジュール４におけるソーラーパネル５の図示しない電極部に対応する位置にはモジュール４を厚み方向に貫通する貫通孔４５が設けられている。また、スペーサ６におけるこの貫通孔４５に対応する位置には、同様にスペーサ６の厚み方向に貫通する貫通孔６３が設けられている。
これらの貫通孔４５，６３にコネクタ４６を挿通させることによりソーラーパネル５と回路基板４１とがコネクタ４６を介して接続される。
なお、貫通孔４５，６３を設ける位置及びコネクタ４６を配置する場所、形状等は、特に限定されず、図示例に限定されない。
【００２４】
図３（ｄ）は、図２（ａ）におけるd-d線に沿う断面図である。
図３（ｄ）に示すように、パネル押さえ部材７は、モジュール４の側（すなわち、時計の裏面側）に向かって垂設されたモジュール係止部７２を有している。モジュール係止部７２の先端部には、係止爪７５が設けられている。モジュール４の外側面であって係止爪７５に対応する位置には、外側に張り出す張出部４７が形成されており、係止爪７５がこの張出部４７に係止されることにより、パネル押さえ部材７がモジュール４に係止される。
モジュール係止部７２は全体がバネ性を有しており、モジュール係止部７２を外側に押し広げることによって張出部４７に対する係止状態を解除できるようになっている。
なお、モジュール係止部７２を設ける位置や設ける数、形状等は、パネル押さえ部材７をモジュールに適切に係止できる態様のものであればよく、図示例に限定されない。
【００２５】
図３（ｅ）は、図２（ａ）におけるe-e線に沿う断面図である。
スペーサ６を配置して文字板３の高さを高くしている場合、図３（ｅ）に示すように、例えば文字板３の高さが低い時に文字板３の位置ずれ防止部３１が配置される部分等において、文字板３が基材であるモジュール４の表面に接触せず、浮き上がってしまう部分が生じる。このような部分では、文字板３が不安定となり、歪み等を生じて外観に影響を与えるおそれがある。
このため、本実施形態では、文字板３の浮き上がりを生じる部分について、文字板３とモジュール４との間に、文字板３をモジュール４に貼着させる文字板貼着用スペーサ８を配置する。
文字板貼着用スペーサ８は、例えば厚手の両面テープや、樹脂等で形成されたスペーサの両面に接着テープを取り付ける等により構成される。なお、文字板貼着用スペーサ８の厚み、大きさ、形状等は、文字板３とモジュール４との間の隙間に応じて適宜調整される。
【００２６】
図３（ｆ）は、図２（ａ）におけるf-f線に沿う断面図である。
図３（ｆ）に示すように、本実施形態のスペーサ６には、ソーラーパネル５を位置決めする位置決め凸部６１が設けられている。ソーラーパネル５には、位置決め凸部６１に対応する位置に貫通孔５１が形成されており、この貫通孔５１に位置決め凸部６１に嵌め込むことにより、ソーラーパネル５がスペーサ６に対して位置決めされる。
この場合、位置決め凸部６１が、ソーラーパネル５をスペーサ６に対して位置決めするパネル位置決め部材として機能する。
なお、位置決め凸部６１及びこれと嵌り合う貫通孔５１の数や配置は図示例に限定されない。
【００２７】
次に、文字板３の高さが低い場合について説明する。
文字板３の高さを最も低くしたい場合には、図４（ｂ）及び図５（ａ）に示すように、スペーサ６を設けず、モジュール４の上に文字板３及びソーラーパネル５が直接配置される。
【００２８】
図５（ｂ）は、図４（ａ）におけるh-h線に沿う断面図である。
スペーサ６を配置しない場合には、ソーラーパネル５をスペーサ６によって位置決めすることができない。このため、図４（ａ）及び図５（ｂ）に示すように、パネル押さえ部材７、ソーラーパネル５、モジュール４の各対応位置に貫通孔７６，５２，４３を形成し、貫通孔７６，５２，４３に位置決めピン４４を挿通させることによって、ソーラーパネル５をモジュール４に対して位置決めする。
この場合、位置決めピン４４が、ソーラーパネル５をスペーサ６に対して位置決めするパネル位置決め部材として機能する。
なお、本実施形態では、ソーラーパネル５を周方向における２箇所で位置決めピン４４による位置決めを行う例を示したが、位置決めピン４４による位置決めを行う位置や何箇所で位置決めするかは特に限定されない。
【００２９】
図５（ｃ）は、図４（ａ）におけるi-i線に沿う断面図である。
文字板３の高さが高い場合と同様に、ソーラーパネル５は、コイルバネ状のコネクタ４６を介して回路基板４１と電気的に接続されている。
具体的には、図４（ｂ）及び図５（ｃ）に示すように、モジュール４の厚み方向に貫通する貫通孔４５にコネクタ４６を挿通させ、その一端部を回路基板４１上の図示しない端子に接続し、他端部をソーラーパネル５の図示しない電極部に接続することにより、ソーラーパネル５と回路基板４１とを接続させる。
【００３０】
図５（ｄ）は、図４（ａ）におけるj-j線に沿う断面図である。
文字板３の高さが高い場合と同様に、パネル押さえ部材７は、先端部に係止爪７５が設けられたモジュール係止部７２を有している。モジュール４の外側面であって係止爪７５に対応する位置には、外側に張り出す張出部４７が形成されており、係止爪７５がこの張出部４７に係止されることにより、パネル押さえ部材７がモジュール４に係止される。
なお、スペーサ６が配置されていない分、パネル押さえ部材７からモジュール係止部７２までの長さは短くなるため、パネル押さえ部材７のモジュール係止部７２の長さは、文字板３の高さが高い場合よりも短くなる。
【００３１】
図５（ｅ）は、図４（ａ）におけるk-k線に沿う断面図である。
前述のように、本実施形態の文字板３には、時計における１２時位置、６時位置、９時位置、１時位置、５時位置に配置される部分等、複数個所に位置ずれ防止部３１が設けられている。
図４（ａ）及び図５（ｅ）に示すように、文字板３の高さが低い場合には、文字板３の位置ずれ防止部３１がモジュール４の位置ずれ防止凸部４０に当接し、位置ずれ防止凸部４０の間に位置ずれ防止部３１が配置される。この場合には、位置ずれ防止凸部４０が文字板位置決め部材として機能する。
これによって、位置決めピン等を用いなくても文字板３の位置決めを行うことができる。
このため、図５（ｂ）について述べたように、文字板３の高さが高い場合に文字板３の位置決めを行うために用いていたモジュール４の貫通孔４３を、ソーラーパネル５を固定する位置決めピン４４を挿通させる孔として流用することができる。
【００３２】
次に、本実施形態における文字板ユニット及びこれを適用した時計の作用について説明する。
【００３３】
本実施形態では、まずスペーサ６を配置して文字板３の高さを高くするか、スペーサ６を配置せずに文字板３の高さを低いままとするか、文字板の高さを高くする場合にはどの程度高くするのかによって、文字板ユニット３０に用いる文字板３、ソーラーパネル５、スペーサ６を選択する。
また、各場合に応じてソーラーパネル５を押さえるパネル押さえ部材７をも選択する。
なお、モジュール４については、文字板３の高さに関わらず共用することのできる共用のモジュール４を用いる。
【００３４】
スペーサ６を配置して文字板３の高さを高くする場合には、図２（ａ）、図２（ｂ）から図３（ａ）〜図３（ｆ）に示すように、モジュール４の上にスペーサ６を配置し、その上にソーラーパネル５を配置し、その上に文字板３を配置する。
そして、文字板３、パネル押さえ部材７、スペーサ６、モジュール４に設けられている貫通孔３２，７４，６２，４３の位置を合わせた上で、これらに位置決めピン４４を挿通させることによって文字板３をモジュール４に対して位置決めする。
また、ソーラーパネル５をスペーサ６の上に配置する際には、ソーラーパネル５に設けられている貫通孔５１にスペーサ６の位置決め凸部６１を嵌め込む。これによってソーラーパネル５をスペーサ６に対して位置決めする。
スペーサ６は文字板３とともに位置決めピン４４によってモジュール４に位置決めされているため、ソーラーパネル５もスペーサ６を介してモジュール４に固定される。
さらに、文字板３がモジュール４から浮き上がって不安定となる個所については、文字板貼着用スペーサ８を文字板３とモジュール４との間に挟み込んで文字板３を貼着固定することにより、補助的に文字板３の位置ずれを防止する。
ソーラーパネル５は、モジュール４及びスペーサ６に設けた貫通孔４５，６３に挿通させたコネクタ４６を介して回路基板４１と電気的に接続させる。
【００３５】
スペーサ６を配置せずに文字板３の高さを低いままとする場合には、図４（ａ）、図４（ｂ）から図５（ａ）〜図５（ｅ）に示すように、モジュール４の上にソーラーパネル５を配置し、その上に文字板３を配置する。
そして、文字板３の位置決め部３１をモジュール４の位置決め凸部４０の間に配置することで、文字板３をモジュール４に対して位置決めする。
ソーラーパネル５については、スペーサ６を用いた際に文字板３を固定するために用いたモジュール４の貫通孔４３にソーラーパネル５の貫通孔５２及びパネル押さえ部材７の貫通孔７６の位置を合わせ、貫通孔４３，５２，７６に位置決めピン４４を挿通させることにより、ソーラーパネル５をモジュール４に対して位置決めする。
このように、文字板３の高さが低い場合にはモジュール４の貫通孔４３をソーラーパネル５を位置決めするために流用することにより、モジュール４の構成を変えずに、高さの異なる各種の文字板３が適用された時計１００を実現することができる。
【００３６】
以上のように、本実施形態によれば、文字板３を複数枚重ねる等しなくても、スペーサ６によって文字板３とモジュール４との間隔を調整することができる。このため、文字板３の高さを高くした場合でも、文字板３の裏面側に配置されたソーラーパネル５への光透過性が低下せず、発電効率を良好に保つことができる。また、文字板３を重ねることで文字板３の高さを調整する場合と異なり、視認側から文字板３を見た場合の外観に影響が生じないため、美しい仕上がりの時計を実現することができる。
また、文字板３の位置がずれると時計としての外観や精度が悪くなるところ、文字板３をモジュール４に対して位置決めする文字板位置決め部材（位置決めピン４４や位置決め凸部４０）を備えているため、文字板３の位置ずれを防止することができ、外観に優れた高精度の時計を実現することができる。
また、スペーサ６を配置して文字板３の高さを高くした場合には、ソーラーパネル５をスペーサ６に対して位置決めする。このため、文字板３の高さを変えた場合でも、文字板３及びソーラーパネル５を共に適切に位置決めすることができる。
また、文字板位置決め部材によって文字板３とスペーサ６をともにモジュール４に対して位置決めすることもできる。このため、部品点数を増やすことなく、各部品の位置決めを行うことができる。
また、本実施形態では、ソーラーパネル５をモジュール４の側に押圧するパネル押さえ部材７を備えている。このため、ソーラーパネル５と回路基板４１との電気的な接続をコイルバネ状のコネクタ４６を介して行った場合でもコネクタ４６によって上方向に押し上げられるソーラーパネル５をパネル押さえ部材７によって押圧し、適切な位置に配置させて確実に接続させることができる。
【００３７】
なお、以上本発明の実施形態について説明したが、本発明は、かかる実施形態に限定されず、その要旨を逸脱しない範囲で、種々変形が可能であることは言うまでもない。
【００３８】
例えば、本実施形態では、文字板３をモジュール４に固定する位置決めピン４４によってスペーサ６をも位置決めするものとしたが、位置決めピン４４によって固定するのは文字板のみとし、スペーサ６については、他の手法によって固定してもよい。
【００３９】
また、本実施形態では、文字板ユニット３０が時計１００に設けられている場合を例示したが、本発明の文字板ユニットを適用可能な機器は、時計に限定されない。
文字板及びソーラーパネルを有する機器であれば、本発明の文字板ユニットを広く適用することができる。
【００４０】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
一側が受光面であるソーラーパネルと、
前記ソーラーパネルの前記受光面側に重畳配置される文字板と、
前記ソーラーパネルの他側に配置される基材と前記ソーラーパネルとの間に配置され、前記文字板と前記基材との間隔を調整するスペーサと、
前記文字板を前記基材に対して位置決めする文字板位置決め部材と、
前記ソーラーパネルを前記スペーサに対して位置決めするパネル位置決め部材と、
を備えていることを特徴とする文字板ユニット。
＜請求項２＞
前記文字板位置決め部材は、前記文字板とともに前記スペーサをも位置決めするものであることを特徴とする請求項１に記載の文字板ユニット。
＜請求項３＞
前記ソーラーパネルを前記基材側に押圧するパネル押さえ部材を備えていることを特徴とする請求項１又は請求項２に記載の文字板ユニット。
＜請求項４＞
前記パネル押さえ部材は、前記文字板位置決め部材を貫通孔に挿通させて、前記ソーラーパネルと厚み方向の高さが略同一になるように配置されることを特徴とする請求項３に記載の文字板ユニット。
＜請求項５＞
請求項１から請求項４のいずれか一項に記載の文字板ユニットと、
前記基材であるモジュールと、
前記文字板ユニット及び前記モジュールを収容するケースと、
を備えることを特徴とする時計。
【符号の説明】
【００４１】
１      時計ケース
３      文字板
４      モジュール
５      ソーラーパネル
６      スペーサ
７      パネル押さえ部材
３０    文字板ユニット
４４    位置決めピン
１００  時計
【図１】
2020139960.tif 000003
【図２】
2020139960.tif 000004
【図３】
2020139960.tif 000005
【図４】
2020139960.tif 000006
【図５】
2020139960.tif 000007
【図６】
2020139960.tif 000008
【手続補正書】
【提出日】令和2年7月7日(2020.7.7)
【手続補正２】
【補正対象書類名】明細書
【補正対象項目名】０００１
【補正方法】変更
【補正の内容】
【０００１】
本発明は、文字板ユニットの製造方法に関するものである。
【手続補正３】
【補正対象書類名】明細書
【補正対象項目名】０００７
【補正方法】変更
【補正の内容】
【０００７】
本発明は以上のような事情に鑑みてなされたものであり、ソーラーパネルによる発電効率を低下させることなく、かつ、モジュール構成を変えずに、高さの異なる文字板を配置することが可能な文字板ユニットの製造方法を提供することを目的とするものである。
【手続補正４】
【補正対象書類名】明細書
【補正対象項目名】０００８
【補正方法】変更
【補正の内容】
【０００８】
前記課題を解決するために、本発明に係る文字板ユニットの製造方法は、
一側が受光面であるソーラーパネルと、
前記ソーラーパネルの前記受光面側に重畳配置される文字板と、
前記ソーラーパネルの他側に配置される基材と前記ソーラーパネルとの間に配置され、前記文字板と前記基材との間隔を調整するスペーサと、
を備えた文字板ユニットの製造方法であり、
位置決めピンで前記文字板を前記基材に対して位置決めする工程と、
パネル位置決め部材で前記ソーラーパネルを前記スペーサに対して位置決めする工程と、
パネル押さえ部材で前記ソーラーパネルを前記基材側に押圧する工程と、
を含むことを特徴とする。
【手続補正５】
【補正対象書類名】特許請求の範囲
【補正対象項目名】全文
【補正方法】変更
【補正の内容】
【特許請求の範囲】
【請求項１】
一側が受光面であるソーラーパネルと、
前記ソーラーパネルの前記受光面側に重畳配置される文字板と、
前記ソーラーパネルの他側に配置される基材と前記ソーラーパネルとの間に配置され、前記文字板と前記基材との間隔を調整するスペーサと、
を備えた文字板ユニットの製造方法であり、
位置決めピンで前記文字板を前記基材に対して位置決めする工程と、
パネル位置決め部材で前記ソーラーパネルを前記スペーサに対して位置決めする工程と、
パネル押さえ部材で前記ソーラーパネルを前記基材側に押圧する工程と、
を含む文字板ユニットの製造方法。
【請求項２】
前記位置決めピンは、前記文字板とともに前記スペーサをも位置決めするもので
あることを特徴とする請求項１に記載の文字板ユニットの製造方法。
【請求項３】
前記パネル押さえ部材は、前記位置決めピンを挿通させる貫通孔を備え、
前記スペーサと前記貫通孔とを合わせた厚み方向の高さが、前記スペーサと前記ソーラーパネルとを合わせた厚み方向の高さと略同一になることを特徴とする請求項１または２に記載の文字板ユニットの製造方法。